(57)【要約】【課題】  クランク組立体を装着する際にクランク組立体で玉当たりの調整作業を簡単に行えるようにする。【解決手段】  自転車用左クランク５２は、自転車のクランク軸５４に装着されるものであって、クランク本体５６と、調整部材５７とを備えている。クランク本体５６は、クランク軸の一端に回転不能に装着されるボス部５６ａ、ボス部５６ａから延びるアーム部、アーム部の先端に設けられたペダル装着部、及びボス部５６ａに形成された雄ねじ部５６ｄを有している。調整部材５７は、雄ねじ部５６ｄに螺合する雌ねじ部８０ａを有する筒状部８０、及び筒状部８０の一端に形成されクランク軸５４を支持する軸受６３に接触可能な接触部８１を有している。【選択図】      図３
2007069798.tif 000002
【特許請求の範囲】
【請求項１】
自転車のクランク軸に装着される自転車用クランク組立体であって、
前記クランク軸の一端に回転不能に装着されるボス部、前記ボス部から延びるアーム部、前記アーム部の先端に設けられたペダル装着部、及び前記ボス部に形成された第１ねじ部を有するクランク本体と、
前記第１ねじ部に螺合する第２ねじ部を有する筒状部、及び前記筒状部の一端に形成され前記クランク軸を支持する軸受に接触可能な接触部を有する調整部材と、
を備えた自転車用クランク組立体。
【請求項２】
前記第１ねじ部は雄ねじ部であり、
前記第２ねじ部は雌ねじ部であり、
前記調整部材は、
前記筒状部の外周面から前記接触部の内周面にかけて形成されたスリットと、
前記スリットを狭めるための締め付けボルトと、
前記スリットを挟んだ一方に前記締め付けボルトが螺合するように形成されたねじ孔と、
他方に前記締め付けボルトが貫通可能に形成された貫通孔と、
をさらに有する、請求項１に記載の自転車用クランク組立体。
【請求項３】
前記筒状部は、前記スリットを挟んで外周面から突出して形成された１対の突起部を有し、
前記ねじ孔及び貫通孔は、前記１対の突出部に突出方向と交差する方向に各別に形成されている、請求項２に記載の自転車用クランク組立体。
【請求項４】
前記ボス部は、他端がギアクランクの中心に固定された前記クランク軸の一端に装着可能である、請求項１から３のいずれか１項に記載の自転車用クランク組立体。
【請求項５】
前記クランク軸の一端は、前記ボス部を回転不能に連結する先細りのテーパ部を有し、
前記ボス部は、テーパ部に回転不能に係合するテーパ孔を有する、請求項１から４のいずれか１項に記載の自転車用クランク組立体。
【請求項６】
前記テーパ部は、先細りに形成された第１テーパ面と、前記第１テーパ面の少なくとも一部に径方向内方に凹んで形成され前記ボス部を回転不能に連結する第１スプラインとを有し、
前記テーパ孔は、前記第１テーパ面に係合する第２テーパ面と、前記第２テーパ面の少なくとも一部に径方向内方に突出して形成され、前記第１スプラインに回転不能に係合する第２スプラインとを有する、請求項５に記載の自転車用クランク組立体。
【請求項７】
前記接触部は、前記軸受の内輪を軸方向内方に押圧可能である、請求項１から６のいずれか１項に記載の自転車用クランク組立体。
【請求項８】
前記調整部材は、前記筒状部の外周面に形成された回転操作部を有する、請求項１から７のいずれか１項に記載の自転車用クランク組立体。
【請求項９】
前記クランク軸と前記接触部との隙間をシールするシール部材をさらに備え、
前記調整部材は、前記接触部の内周面に前記シール部材を装着するシール部材装着部を有する、請求項１から８のいずれか１項に記載の自転車用クランク組立体。
【発明の詳細な説明】
【技術分野】
【０００１】
本発明は、クランク組立体、特に、自転車のクランク軸に装着される自転車用クランク組立体に関する。
【背景技術】
【０００２】
自転車のクランク軸には、クランク組立体が装着される。従来のクランク組立体は、クランク軸の端部に回転不能に装着されるボス部と、ボス部から径方向外方に延びるクランク本体と、クランク本体の先端に設けられたペダル装着部とを有している。この種のクランク組立体において、右側のギアクランクがクランク軸にかしめ固定されたものが従来知られている（たとえば、特許文献１参照）。
【０００３】
従来の左側のクランク組立体は、ボス部にスリットが形成されており、中空のクランク軸の左端部にセレーションにより回り止めされた状態でスリットを狭めるように２本の締め付けボルトが設けられている。また、左側のクランク組立体は、クランク軸の左端内周面に螺合する固定ボルトによりクランク軸に固定される。
【０００４】
従来のクランク軸を支持する軸受には玉押し等の玉当たりの調整機能は設けられていない。したがって、玉当たりの調整、すなわち軸受の軸方向のがたをなくしてクランク軸がスムーズに回るようにするための調整は、左側のクランク組立体を固定ボルトにより固定する際にその締め付け具合を調整することにより行われる。そして、玉当たりの調整が終わると、スリットを狭める締め付けボルトを締め付けてクランク組立体をクランク軸に固定する。したがって、従来のクランク組立体では、クランク組立体を固定するための固定ボルトにより玉当たりの調整を行っているので、クランク組立体をクランク軸から外すと、クランク組立体をクランク軸に装着するときに、固定ボルトによる玉当たりの調整を再度行わなければならない。
【特許文献１】特開２００４−２４９７７０号公報
【発明の開示】
【発明が解決しようとする課題】
【０００５】
従来、テーパを利用してクランク組立体をクランク軸に固定することが行われている。テーパを利用して固定する場合、クランク軸に螺合する固定ボルトを完全に締め付けないと、クランク組立体とクランク軸との間に隙間が生じてクランク組立体をクランク軸に強固に固定できない。このため、クランク組立体で玉当たりの調整を行う場合には、固定ボルトを使用することはできない。そこで、テーパを利用して両者を連結する構造においてクランク組立体で玉当たりを調整する場合、たとえば、シムをクランク組立体と軸受との隙間に入れて、玉当たりを調整する必要がある。
【０００６】
しかし、クランク組立体により玉当たりの調整を行う場合、クランク組立体とクランク軸とをテーパを用いて連結させると、クランク組立体を装着する都度、玉当たりを調整する必要がある。これは、クランク軸のテーパ部とクランク組立体のテーパ孔の加工精度によりクランク組立体の軸方向位置が着脱の都度ずれることがあるからである。このようにクランク組立体の軸方向位置がずれると、軸受とクランク組立体との隙間が変化するため、玉当たりの調整が必要になるのである。この際に、シムを用いて隙間を変化させて玉当たりの調整を行うと、シムを増減する際に固定ボルトを外してクランク組立体の着脱を繰り返す必要があるため、玉当たりの調整作業が煩わしいものになる。
【０００７】
本発明の課題は、クランク組立体を装着する際にクランク組立体で玉当たりの調整作業を簡単に行えるようにすることにある。
【課題を解決するための手段】
【０００８】
発明１に係る自転車用クランク組立体は、自転車のクランク軸に装着される組立体であって、クランク本体と、調整部材とを備えている。クランク本体は、クランク軸の一端に回転不能に装着されるボス部、ボス部から延びるアーム部、アーム部の先端に設けられたペダル装着部、及びボス部に形成された第１ねじ部を有している。調整部材は、第１ねじ部に螺合する第２ねじ部を有する筒状部、及び筒状部の一端に形成されクランク軸を支持する軸受に接触可能な接触部を有している。
【０００９】
このクランク組立体では、クランク組立体をクランク軸に装着する際には、予めクランク本体の第１ねじ部に調整部材の第２ねじ部を螺合させて調整部材をボス部にねじ込んでおく。この状態でボス部をクランク軸に装着して固定ボルトなどの適宜の固定手段によりクランク組立体をクランク軸に固定する。クランク組立体を固定すると、調整部材を軸受に向けてねじが緩む方向に回して軸受に接触させさらにその接触具合を調整する。これにより玉当たりの調整を行える。ここでは、クランク組立体にボス部に螺合する調整部材を設け、その調整部材を回すことにより玉当たりの調整を行えるので、クランク組立体で玉当たりの調整をする作業を簡単に行えるようになる。
【００１０】
発明２に係る自転車用クランク組立体は、発明１に記載の組立体において、第１ねじ部は雄ねじ部であり、第２ねじ部は雌ねじ部であり、調整部材は、筒状部の外周面から接触部の内周面にかけて形成されたスリットと、スリットを狭めるための締め付けボルトと、スリットを挟んだ一方に締め付けボルトが螺合するように形成されたねじ孔と、他方に締め付けボルトが貫通可能に形成された貫通孔とをさらに有する。この場合には、スリットを締め付けボルトにより狭めることにより玉当たりの調整が終わった後に調整部材を確実に回り止めできる。このため、クランク組立体をいったんクランク軸に装着すると、再度装着するまで玉当たりが変化しにくくなる。
【００１１】
発明３に係る自転車用クランク組立体は、発明２に記載の組立体において、筒状部は、スリットを挟んで外周面から突出して形成された１対の突起部をさらに有し、ねじ孔及び貫通孔は、１対の突出部に突出方向と交差する方向に各別に形成されている。この場合には、スリットを挟んでねじ孔及び貫通孔を配置しやすくなるとともに、ねじ孔及び貫通孔のサイズの制限が緩和され、調整部材を確実にボス部に回り止めできる。また、突起部を利用して調整部材を手で回しやすくなる。
【００１２】
発明４に係る自転車用クランク組立体は、発明１から３のいずれかに記載の組立体において、ボス部は、他端がギアクランクの中心に固定されたクランク軸の一端に装着可能である。この場合には、右側のクランクが配置されるギアクランクがクランク軸に固定されているので、両クランクの装着作業が簡単になる。また、調整部材で玉当たりを調整するだけでクランク軸を支持する２つの軸受の玉当たりの調整を一度に行える。
【００１３】
発明５に係る自転車用クランク組立体は、発明１から４のいずれかに記載の組立体において、クランク軸の一端は、ボス部を回転不能に連結する先細りのテーパ部を有し、ボス部は、テーパ部に回転不能に係合するテーパ孔を有する。この場合には、テーパを用いてクランク組立体をクランク軸に装着する都度行わなければならない玉当たりの調整が容易になる。
【００１４】
発明６に係る自転車用クランク組立体は、発明５に記載の組立体において、テーパ部は、装着部を回転不能に連結する径方向外方に突出する第１スプラインと、第１スプラインの間に先細りに形成された傾斜面とを有し、テーパ孔は、径方向内方に突出し第１スプラインに回転不能に係合する第２スプラインと、第１スプラインの間に形成され傾斜面に係合する傾斜孔を有する。この場合には、スプライン結合とテーパ面により両者を連結しているのでクランク組立体のがたつきが生じにくくなる。
【００１５】
発明７に係る自転車用クランク組立体は、発明１から６のいずれかに記載の組立体において、接触部は、軸受の内輪を軸方向内方に押圧可能である。この場合には、軸受の内輪側を押圧して玉当たりの調整を行える。
【００１６】
発明８に係る自転車用クランク組立体は、発明１から７のいずれかに記載の組立体において、調整部材は、筒状部の外周面に形成された回転操作部を有する。この場合には、外周面に突起や凹部で回転操作部を設けることにより、調整部材を回して玉当たりを調整するときに手で調整部材を回しやすくなる。
【００１７】
発明９に係る自転車用クランク組立体は、発明１から８のいずれかに記載の組立体において、クランク軸と接触部との隙間をシールするシール部材をさらに備え、調整部材は、接触部の内周面にシール部材を装着するシール部材装着部を有する。この場合には、接触部の内周面にシール部材が装着されるので、接触部からクランク軸組立体側に異物などが侵入しにくくなる。
【発明の効果】
【００１８】
本発明によれば、クランク組立体にボス部に螺合する調整部材を設け、その調整部材を回すことにより玉当たりの調整を行えるので、クランク組立体で玉当たりの調整作業を簡単に行えるようになる。
【発明を実施するための最良の形態】
【００１９】
図１において、本発明の一実施形態を採用した自転車は、たとえばドロップタイプのハンドル部１４を有するロードバイク１０である。ロードバイク１０は、車体の骨格をなすダイヤモンド形のフレーム１１を備えている。フレーム１１は、フレーム体１２と、フレーム体１２の前部に斜め縦軸回りに回転自在に支持され、下部が２股に分かれたフロントフォーク１３とを有している。また、ロードバイク１０は、フロントフォーク１３に連結されたハンドル部１４と、フレーム体１２の下部に取り付けられ、踏み力を駆動力に変換する駆動部１５と、フロントフォーク１３の下端に回転自在に支持された前輪１６と、フレーム体１２の後部に回転自在に支持された後輪１７と、前後の制動装置１８，１９とを備えている。
【００２０】
フレーム体１２は、三角形状の前三角２０と、前三角２０の後方に配置された後三角２１とを有している。前三角２０は、横方向に配置された上パイプ２５と、上パイプ２５の下方に前上がりに配置された下パイプ２６と、上パイプ２５および下パイプ２６の前端を接合するヘッドパイプ２７と、上パイプ２５および下パイプ２６の後端を接合し、斜め上方に延びる立パイプ２８とから構成されている。立パイプ２８にはサドル３２を固定したシートポスト３３が上下位置を調節可能に固定されている。立パイプ２８と下パイプ２６との接合部には、筒状のハンガー部２９（図２）が形成されている。後三角２１は、立パイプ２８に前端が接合され２股に分かれて斜め下方に延びるシートステイ３０と、立パイプ２８の下端から後方に２股に分かれて延び、シートステイ３０の後端に接合されたチェーンステイ３１とから構成されている。
【００２１】
フロントフォーク１３の上部にはハンドル部１４を構成するハンドルステム３５が上下に移動可能に固定されている。ハンドルステム３５の上端には、左右に延びる両端が湾曲したハンドルバー３６が固定されている。ハンドルバー３６の両端には、変速機能付のブレーキレバー３８が取り付けられている。
【００２２】
駆動部１５は、ハンガー部２９に設けられたクランク部４１と、後輪１７のフリーハブに回転不能に取り付けられた小ギヤ部４３と、クランク部４１と小ギヤ部４３との間に架け渡されたチェーン４４と、変速用のフロントディレーラ４５およびリアディレーラ４６とを有している。フロントディレーラ４５は、チェーン４４が挿通するチェーンガイド４５ａを有している。
【００２３】
クランク部４１は、図２に示すように、フレーム１１のハンガー部２９に回転自在に支持されたクランク軸５４を有するクランク軸組立体５０と、クランク軸５４の右端に一体的にカシメ固定され先端にペダル５３（図１）が装着された右クランク５１と、クランク軸５４の左端に着脱自在に固定される左クランク（クランク組立体の一例）５２とを有している。
【００２４】
クランク軸組立体５０は、図２に示すように、クランク軸５４と、ハンガー部２９に装着されクランク軸５４を回転自在に支持するボトムブラケット５５とを有している。
【００２５】
クランク軸５４は、たとえばクロムモリブデン鋼等の高剛性を有する合金製の中空のパイプ状部材である。クランク軸５４の左端内周面には、左クランク５２を固定するために固定ボルト５９がねじ込まれる雌ねじ部５４ａが形成されている。固定ボルト５９は、アーレンキーなどの工具により締め付け可能な工具係止孔５９ｂを外周面の中心に有している。また、クランク軸５４の左端外周面には、図３に示すように、左クランク５２を回転不能に連結するための先細りのテーパ部５４ｂが形成されている。テーパ部５４ｂは、図３に示すように、先細りに形成された第１テーパ面５４ｃと、第１テーパ面５４ｃの少なくとも一部、具体的には先端側外周面に径方向内方に凹んで形成され左クランク５２のボス部５２ａを回転不能に連結する第１スプライン５４ｄとを有している。第１テーパ面５４ｃは、たとえば０．５から１．５度程度の傾斜角を有するテーパ面である。
【００２６】
ボトムブラケット５５は、図２に示すように、ハンガー部２９の両端からねじ込まれる左右の軸受ハウジング６０，６１と、左右の軸受ハウジング６０，６１を同芯に連結する筒状の連結部材６２と、左右の軸受ハウジング６０，６１に装着された左右の軸受６３，６４と、左右の軸受６３，６４の内輪とクランク軸５４との間に装着される左右のカバー部材６５，６６とを有している。
【００２７】
左右の軸受ハウジング６０，６１は、段付き筒状の部材であり、軸受６３，６４が各別に収納される軸受収納部６０ａ，６１ａと、軸受収納部６０ａ，６１ａと並べて配置されハンガー部２９の端部に回転不能に装着される装着部６０ｂ，６１ｂとをそれぞれに有している。軸受収納部６０ａ，６１ａは、軸受装着部６０ａ，６１ａの軸方向外側に配置されており、装着部６０ｂ，６１ｂより大径である。ハンガー部２９は、左右の両端内周面に雌ねじ部２９ａ，２９ｂを有しており、装着部６０ｂ，６１ｂは、軸受収納部６０ａ，６１ａの内側に配置され雌ねじ部２９ａ，２９ｂに螺合する雄ねじ部６０ｃ，６１ｃを有している。通常、クランクの回転による緩みを防止するため、左側の雌ねじ部２９ａは右ねじで右側の雌ねじ部は左ねじである。したがって、これらに螺合する雄ねじ部６０ｃは右ねじ、雄ねじ部６１ｃは左ねじである。
【００２８】
連結部材６２は、クランク軸５４が通過可能な内径を有する筒状の部材であり、両端内周面が左右の軸受ハウジング６０，６１の装着部６０ｂ，６１ｂの内周面に嵌合している。連結部材６２と軸受ハウジング６０，６１との連結部分には、Ｏリング６８，６９が装着されている。
【００２９】
軸受６３，６４は、内輪６３ａ，６４ａ及び外輪６３ｂ，６４ｂを有する玉軸受等の転がり軸受である。軸受６３，６４は、カバー部材６５，６６を介して左右のクランク５２，５１により内輪６３ａ，６４ａのそれぞれ軸方向外側（軸受６３は図２左側、軸受６４は図２右側）への移動が規制され、軸受ハウジング６０，６１により外輪６３ｂ，６４ｂのそれぞれ軸方向内側（軸受６３は図２右側、軸受６４は図２左側）への移動が規制されるように配置されている。軸受６３，６４は、内輪６３ａ，６４ａと外輪６３ｂ，６４ｂとの間にシールが装着されたシールドベアリングであり、グリースが予め封入されたものである。これにより、潤滑のためのメンテナンスを省くことができる。このように、ハンガー部２９の軸方向外側に軸受６３，６４を配置することによりクランク軸５４の軸径を大きくすることができ、クランク軸５４を中空形状にして軽量化を図ってもクランク軸５４の強度や剛性を高く維持できる。
【００３０】
カバー部材６５，６６は、軸受ハウジング６０，６１の外側端面をカバーするたとえば硬質な合成樹脂製の部材であり、左右のクランク５２，５１と軸受６３，６４の内輪６３ａ，６４ａとに挟まれた状態で配置されている。
【００３１】
右クランク５１は、スプロケット７１，７２を装着可能なギアクランクであり、円形の空間で構成されクランク軸５４の右端に回転不能に装着される係合凹部７８を有するクランク連結部７５と、クランク連結部７５から放射状に延びる大小２枚のスプロケット７１，７２を先端に装着可能な５つのアーム部７６と、クランク軸５４の右端に固定され先端にペダル装着孔７７ａが形成された右クランクアーム部７７とを有している。右クランク５１の連結部７５の軸方向の内側端面７５ａは、カバー部材６６を介して軸受６４の内輪６４ａを押圧可能である。
【００３２】
左クランク５２は、図２に示すように、クランク本体５６と、クランク本体５６に装着される調整部材５７とを有している。クランク本体５６は、クランク軸５４の一端に回転不能に装着されるボス部５６ａと、ボス部５６ａから延びるアーム部５６ｂと、アーム部の先端に設けられペダル５３が装着されるペダル装着部５６ｃと、ボス部５６ａに形成された雄ねじ部（第１ねじ部の一例）５６ｄとを有している。
【００３３】
ボス部５６ａの軸受６３に対向する面には、図３に示すように、カバー部材６５に向かって突出する突出部５２ａが形成されており、雄ねじ部５６ｄは突出部５２ａの外周面に形成されている。ボス部５６ａの内周面には、クランク軸５４のテーパ部５４ｂに係合するテーパ孔５２ｂが形成されている。テーパ孔５２ｂは、第１テーパ面５４ｃに係合する第２テーパ面５２ｃと、第２テーパ面５２ｃの少なくとも一部、具体的には先端側内周面に径方向内方に突出して形成され、第１スプライン５４ｄに回転不能に係合する第２スプライン５２ｄとを有している。第２テーパ面５２ｃは、たとえば０．５度から１．５度程度の傾斜角を有するテーパ面である。また、ボス部５６ａの先端内周面には、左クランク５２を外すときに使用する抜き工具をねじ込むための雌ねじ部５２ｅが形成され、雌ねじ部５２ｅと第２スプライン５２ｄの先端面との間には、固定ボルト５９の頭部５９ａが当接する当接面５２ｆが形成されている。第２スプライン５２ｄは、第１スプライン５４ｄに係合したとき、クランク軸５４に所定の回転位相で回転不能に連結するように形成されている。
【００３４】
調整部材５７は、雄ねじ部５６ｄに螺合する雌ねじ部（第２ねじ部の一例）８０ａを有する筒状部８０と、筒状部８０の一端に形成されクランク軸５４を支持する軸受６３に接触可能な接触部８１と、を有している。また、調整部材５７は、筒状部８０の外周面から接触部８１の内周面にかけて形成されたスリット８２と、スリット８２を狭めるための締め付けボルト８３と、スリット８２を挟んだ一方に締め付けボルト８３が螺合するように形成されたねじ孔８４と、他方に締め付けボルト８３が貫通可能に形成された貫通孔８５と、を有している。締め付けボルト８３は、好ましくは六角穴付きボルトであり、貫通孔８５側からねじ孔８４に向けて挿入され、締め付けボルト８３を締め付けることにより、スリット８２の幅が狭まって調整部材５７がボス部５６ａの突出部５２ａに固定され回り止めされる。
【００３５】
筒状部８０は、スリット８２を挟んで径方向外方に突出する１対の第１突起部（回転操作部の一例）８０ｂ，８０ｃを有しており、第１突起部８０ｂに貫通孔８５が形成され、第１突起部８０ｃにねじ孔８４が形成されている。また、筒状部８０は、第１突起部８０ｂ，８０ｃと反対側の外周面には、第２突起部（回転操作部の一例）８０ｄを有している。さらに筒状部の残りの外周面には、たとえばローレット加工により多数の凹凸部（回転操作部の一例）８０ｅが形成されている。これらの第１及び第２突起部８０ｂ，８０ｃ，８０ｄや凹凸部８０ｅは、左クランク５２をクランク軸５４に装着した状態で玉当たりを調整する際に、調整部材５７を手で回しやすくするために設けられている。
【００３６】
接触部８１は、ワッシャ状に形成されており、径方向の中間部分には、カバー部材６５に向けて突出する接触面８１ａが形成されている。接触面８１ａは、軸受６３の内輪６３ａに接触しているカバー部材６５に接触可能である。これにより、調整部材５７は、接触部８１及びカバー部材６５を介して内輪６３ａを軸方向内方（図３右方）に押圧可能である。接触部８１の内周面には、カバー部材６５側に向けて開口するように凹んだシール部材装着部８１ｂが形成されている。シール部材装着部８１ｂには、クランク軸５４と接触部８１との隙間をシールするシール部材８６が装着されている。シール部材８６は、シール部材装着部８１ｂの奥側に配置される、好ましくは金属製のバックアップリング８６ａと、バックアップリング８６ａに、たとえば融着等の適宜の固定手段により固定された合成樹脂弾性体製のシールリング８６ｂとを有している。このようなシール部材８６を調整部材５７の内部に装着することにより、接触部８１からクランク軸組立体５０側に異物などが侵入しにくくなる。
【００３７】
このような構成の左クランク５２をハンガー部２９に装着する際には、最初に左右の軸受ハウジング６０，６１に、軸受６３，６４やカバー部材６５，６６を予め装着しておく。また、いずれかの軸受ハウジング６０，６１に連結部材６２を装着しておく。この状態でハンガー部２９の雌ねじ部２９ａ，２９ｂに軸受ハウジング６０，６１を所定範囲のトルクでねじ込む。次に、クランク軸５４が一体で固定された右クランク５１を軸受ハウジング６１側から挿入する。そして、左クランク５２の突出部５２ａの奥まで調整部材５７をねじ込む。このとき、締め付けボルト８３は緩めておき、調整部材５７を回転可能状態にしておく。調整部材５７をねじ込んだ後、右クランク５１と１８０度異なる回転位相で左クランク５２を装着し、固定ボルト５９により固定する。なお、第１及び第２スプライン５４ｄ，５２ｄには、右クランク５１と左クランク５２とが１８０度の回転位相に配置されるように他の部分より周方向長さが長い特別の凹凸部（図示せず）が、たとえば１つだけ形成されている。したがって、特別の凹凸部を係合させることにより、両クランク５２，５１は、１８０度の回転位相に配置される。
【００３８】
この状態で調整部材５７をねじが緩む方向（たとえば図４の反時計回り）に回す。すると、調整部材５７の接触部８１がカバー部材６５を介して軸受６３の内輪６３ａを押圧して玉当たりを調整できる。玉当たりの調整が終わると、締め付けボルト８３を締め込んでスリット８２の幅を狭め、調整部材５７を突出部５２ａに固定する。これにより調整部材５７が回り止めされ、一度調整した玉当たりが次に左クランク５２を着脱するまで変化しにくくなる。
【００３９】
ここでは、左クランク５２にボス部５６ａに螺合する調整部材５７を設け、その調整部材５７を回すことにより玉当たりの調整を行えるので、左クランク５２で玉当たりの調整作業を簡単に行えるようになる。
【００４０】
〔他の実施形態〕
（ａ）前記実施形態では、軸受ハウジングがハンガー部にねじ込みされていたが、クランク組立体の装着により玉当たりを調整できるものであれば、ハンガー部に圧入される軸受ハウジングを有するクランク軸組立体に組み込まれるクランク組立体にも本発明を適用できる。
【００４１】
（ｂ）前記実施形態では、ロードバイク用のクランク軸組立体を例に説明したが、本発明のクランク軸組立体は全ての形式の自転車に適用できる。
【００４２】
（ｃ）前記実施形態では、軸受収納部がハンガー部の軸方向外側に配置されているが、軸受収納部がハンガー部の内部に配置されていてもよい。
【００４３】
（ｄ）前記実施形態では、第１ねじ部を雄ねじ部５６ｄにし、第２ねじ部を雌ねじ部８０ａとしたが、逆でもよい。
【００４４】
たえとば、図６において、左クランク１５２のボス部１５６ａは、カバー部材６５側に凹部１５２ａを有しており、凹部１５２ａの内周面に第１ねじ部としての雌ねじ部（第１ねじ部の一例）１５６ｄが形成されている。
【００４５】
調整部材１５７は、図７に示すように、雌ねじ部１５６ｄに螺合する雄ねじ部（第２ねじ部の一例）１８０ａを有する筒状部１８０と、筒状部１８０の一端に形成されクランク軸５４を支持する軸受６３に接触可能な接触部１８１と、を有している。接触部１８１は、ワッシャ状に形成されており、径方向の中間部分には、カバー部材６５に向けて突出してカバー部材６５に接触可能な接触面１８１ａが形成されている。また、外周面に調整部材１５７を回すための特殊な工具が係止される工具係止穴１８１ｅを有している。
【００４６】
この実施形態では、調整部材１５７の回り止めは、図６に示すように、雄ねじ部１８０ａに螺合するロックナット１５８により行われる。すなわち、玉当たりの調整が終わると、ロックナット１５８をボス部１５６ａの壁面に向けて締め込んで調整部材１５７を回り止めする。このような実施形態でも、前記実施形態と同様に、左クランク１５２の装着時に調整部材１５７を回すだけで玉当たりの調整を行えるので、左クランク１５２装着時の玉当たりの調整が簡単になる。
【００４７】
（ｅ）前記実施形態では、右クランクが一体で固定されていたクランク軸に装着された左クランクを例に本発明を説明したが、クランク軸に締め付けボルトなどにより連結される右クランク（ギアクランク）にも本発明を適用できる。
【００４８】
（ｆ）前記実施形態では、カバー部材６５を介して左クランク５２の調整部材５７が軸受６３を押圧しているが、クランク組立体に螺合する調整部材が軸受を直接押圧する構成であってもよい。
【図面の簡単な説明】
【００４９】
【図１】本発明に係る一実施形態を採用した自転車の側面図。
【図２】クランク軸組立体の断面図
【図３】その左クランク装着部分の断面部分図。
【図４】調整部材の正面図。
【図５】そのＶ−Ｖ断面図。
【図６】他の実施形態の図３に相当する図。
【図７】他の実施形態の図５に相当する図。
【符号の説明】
【００５０】
１０  ロードバイク
５１  右クランク（ギアクランクの一例）
５２  左クランク（クランク組立体の一例）
５２ｂ  テーパ孔
５２ｃ  第２テーパ面
５２ｄ  第２スプライン
５４  クランク軸
５４ｂ  テーパ部
５４ｃ  第１テーパ面
５４ｄ  第１スプライン
５６，１５６  クランク本体
５６ａ，１５６ａ  ボス部
５６ｂ  アーム部
５６ｃ  ペダル装着部
５６ｄ  雄ねじ部（第１ねじ部の一例）
５７，１５７  調整部材
８０，１８０  筒状部
８０ａ  雌ねじ部（第２ねじ部の一例）
８０ｂ，８０ｃ  第１突起部（回転操作部の一例）
８０ｄ  第２突起部（回転操作部の一例）
８０ｅ  凹凸部（回転操作部の一例）
８１，１８１  接触部
８１ｂ  シール部材装着部
８２  スリット
８３  締め付けボルト
８４  ねじ孔
８５  貫通孔
８６  シール部材
１５６ｄ  雌ねじ部（第１ねじ部の一例）
１８０ａ  雄ねじ部（第２ねじ部の一例）
【図１】
2007069798.tif 000003
【図２】
2007069798.tif 000004
【図３】
2007069798.tif 000005
【図４】
2007069798.tif 000006
【図５】
2007069798.tif 000007
【図６】
2007069798.tif 000008
【図７】
2007069798.tif 000009